(57)【特許請求の範囲】
【請求項１】
幹糸に横糸を接続するためのビーズにおいて、
その縦方向に貫通して幹糸が挿通される幹糸挿通孔と、横方向に貫通して横糸が挿通される横糸挿通孔と、ビーズの周面から張り出した突部と、を備え、
前記横糸挿通孔の開口部を突部に設け、その突部を両側から挟むように指でつまんだ場合に指腹部が食い込む凹部である段部と、  を形成し、
前記横糸挿通孔の両側の周面に平面領域を有する指当て部を備えたことを特徴とするビーズ。
【請求項２】
前記横糸を挿入するための横糸挿通孔の開口部周辺の面を、平面状に形成した横糸当接面を設けたことを特徴とする請求項１記載のビーズ。
【請求項３】
前記横糸当接面の幅を、ビーズの幅とほぼ等しく形成したことを特徴とする請求項２に記載のビーズ。
【請求項４】
前記横糸挿通孔の開口部を、その横糸挿通孔の他の部位よりも大きくカットされたロート状に形成したことを特徴とする請求項１から請求項３のいずれかに記載のビーズ。
【請求項５】
前記横糸挿通孔の長手方向は、前記幹糸挿通孔の直角方向に対し傾斜するように形成し、横糸当接面を横糸挿通孔に直交するように形成したことを特徴とする請求項１から請求項４のいずれかに記載のビーズ。
【請求項６】
幹糸に横糸を接続するためのビーズにおいて、
その縦方向に貫通して幹糸が挿通される幹糸挿通孔と、横方向に貫通して横糸が挿通される横糸挿通孔と、ビーズの周面からそれぞれ張り出した突部と、を備え、
その両方の突部を両側から挟むように指でつまんだ場合に指腹部が食い込む凹部である段部と、を形成し、
前記横糸が挿出入される横糸挿通孔の両方の開口部をそれぞれ突部に設け、
前記横糸挿通孔の両側の周面に平面領域を有する指当て部を備えたことを特徴とするビーズ。
【請求項７】
縦方向に長く延びた幹糸と、その幹糸の中途部に複数設けられたビーズと、それら各ビーズから横方向に延出した横糸とを備えた釣り用仕掛けであって、
前記各ビーズは、その縦方向に貫通して幹糸が挿通される幹糸挿通孔と、横方向に貫通して横糸が挿通される横糸挿通孔と、ビーズの周面から張り出した突部と、を備え、
前記横糸挿通孔の開口部を突部に設け、その突部を両側から挟むように指でつまんだ場合に指腹部が食い込む凹部である段部と、  を形成し、
前記横糸挿通孔の両側の周面に平面領域を有する指当て部を備えた請求項１から請求項６のいずれかに記載のビーズを備えたこと特徴とする釣り用仕掛け。
【発明の詳細な説明】
【技術分野】
【０００１】
本発明は、釣り糸に用いるビーズ、およびそのビーズを用いた釣り用仕掛けに関するものである。
【背景技術】
【０００２】
釣り糸に用いるビーズとしては、手芸用のビーズを代用するような場合もあったが、従来製品として提供されているビーズは、無色透明としている製品がほとんどである。
さて現状では、特許文献１に開示されているような技術がある。この技術は、１本の主貫通孔と、これに直交或いはほぼ直交する複数の副貫通孔を有しており、且つすべての貫通孔は交錯しないように互いに離反するように構成したビーズを、幹糸と枝糸（ハリス）との接続箇所に設けたものである。この技術によれば、幹糸と枝糸とが結着されておらず、各々が独立して回動できるので、ヨレやネジレの発生しにくい構造となっており、投げ釣り仕掛けにおける下針の設置やその交換が簡単に行えるという利点がある。
【０００３】
【特許文献１】特開平１０−９８９９５号公報
【発明の開示】
【発明が解決しようとする課題】
【０００４】
一般で市販されているビーズとしては、Ｌサイズであっても5.0×3.0ミリメートル、Ｍサイズにいたっては3.0×1.8ミリメートルと小さく、ビーズの孔に糸を通しにくいという欠点がある。糸を通しにくい理由は、ビーズ全体の大きさが小さいこと、および孔が見にくいこと、が挙げられる。
ビーズ全体が小さいということに加えて、一様に丸みを帯びているので掴みにくく、また掴んでいてずれやすいために、糸を通す作業がやりにくいのである。
【０００５】
孔の見にくさを解消するために、孔へ他の部位とは異なる着色をするというビーズ製品も提供されている。しかし、孔に着色を施すと糸の滑りが悪くなることが一般的であり、釣りをしている際に要求される本来の機能が低下してしまう。すなわち、これまでの技術では、孔を見やすくすることと、糸の滑りやすさを確保することとはトレードオフの関係にある。
【０００６】
ビーズを必要とする仕掛けは、水深の浅い場所で用いる場合（紫外線が届くのでブルー系の色が望ましい）と、水深が深い場所で用いる場合（魚が見えにくいピンク系の色が望ましい）とに大別される。しかし、そうした場合に応じた適切な着色がなされた製品は、以下のような欠点を抱えていた。ビーズの材質がプラスチックであったために、着色に適さず、塗装による着色では工程を増やすので製造コストがアップしてしまい、しかも糸が滑りにくくなるのである。
【０００７】
さて、針に掛かった魚が暴れると、ビーズ孔の端部において釣り糸が擦れる。この擦れによって糸が磨耗して切れやすくなる、という問題もある。
また、一般のビーズに用意された孔を用いて形成されるハリスは、幹糸に対して直角である。ハリスには針および餌が付けられるので、その重みで垂れ下がり、絡んでしまうことがある。
【０００８】
発明が解決しようとする課題は、前述したような問題点を解決できるビーズを提供することにある。
請求項１から請求項６に記載の発明の目的は、掴みやすくてビーズの孔に糸を通す作業が容易なビーズを提供することにある。
請求項７に記載の発明の目的は、掴みやすくてビーズに糸を通す作業が容易であるとともに、釣り糸が擦れたり、擦れによって糸が磨耗して切れやすくなったりすることを低減させるビーズを備えた釣り用仕掛けを提供することにある。
【課題を解決するための手段】
【０００９】
（請求項１）
請求項１に記載の発明は、幹糸(50)に横糸(60)を接続するためのビーズ(10)に係る。
その縦方向に貫通して幹糸(50)が挿通される幹糸挿通孔(11)と、横方向に貫通して横糸(60)が挿通される横糸挿通孔(12)と、ビーズ(10)の周面から張り出した突部(15)と、を備え、前記横糸挿通孔(12)の開口部(12a)を突部(15)に設け、その突部(15)を両側から挟むように指でつまんだ場合に指腹部が食い込む凹部である段部(16)と、を形成する。
更に、前記横糸挿通孔(12)の両側の周面に平面領域を有する指当て部(14)を備える。
【００１０】
（作用）
ビーズ(10)の外周面を指でつまむ。ビーズ(10)をつまんだ状態で、横糸挿通孔(12)に横糸(60)を挿通する。指でつまんだ際に、段部(16a,16b)に指腹部を食い込ませることができ、引っ掛かりが良くなる。これにより、ビーズの横糸挿通孔(12)に対し、横糸(60)を通す作業が容易となる。
指当て部(14)が平面状に形成されているので、ビーズ(10)をつまみやすくなる。また、ビーズ(10)をつまんだ時に、指を段部(16)に引っ掛けることができる。このため、ビーズ(10)を滑らせることなく容易につまむことができ、横糸(60)の挿入作業が簡単に行える。
【００１１】
（請求項２）
請求項２に記載の発明は、請求項１記載のビーズ(10)を限定したものである。
すなわち、前記横糸(60)を挿入するための横糸挿通孔(12)の開口部(12a)周辺の面(13)を、平面状に形成した横糸当接面(13)を設けたことを特徴とする。
【００１２】
（作用）
ビーズ(10)の外周面に設けられた平らな面(14a,14b)を指でつまむ。開口部(12a)周辺の面(13)は、平面状に形成されている。このため、横糸(60)をこの面(13)に突き当てながら開口部(12a)を探り、横糸挿通孔(12)に横糸(60)を挿通する。これにより、ビーズの横糸挿通孔(12)に対し、横糸(60)を通す作業がより容易となる。
【００１３】
（請求項３）
請求項３記載の発明は、請求項２に記載のビーズ(10)を限定したものである。
すなわち、前記横糸当接面(13)の幅を、ビーズ(10)の幅とほぼ等しく形成したことを特徴とする。
【００１４】
（作用）
ビーズが略正俵形とすれば、全体のプロポーションがほぼ同一に形成されることになる。すると、水中でのビーズの動作は、球体のビーズとほぼ同様になる。水中での動作は予測のしやすい球体であることが望ましいが、球体であると掴みにくく、糸を通しにくい等の問題点がある。しかし、このような問題点を、横糸当接面(13)の幅を、ビーズ(10)の幅とほぼ等しくすることで、つまみにくさと水中での動作の不安定さの両方を軽減しているのである。
【００１５】
（請求項４）
請求項４記載の発明は、請求項１から請求項３のいずれかに記載のビーズ(10)を限定したものである。
すなわち、前記横糸挿通孔(12)の開口部(12a)を、その横糸挿通孔(12)の他の部位よりも大きくカットされたロート状に形成したことを特徴とする。
【００１６】
（作用）
横糸挿通孔(12)の開口部(12a)がロート状に形成されていると、横糸挿通孔(12)に横糸(60)を挿通する際に、開口部(12a)が見付けやすくなる。同じ材質でも光の反射が異なるため、ロート状の部位が他と区別しやすいからである。このため、横糸挿通孔(12)に横糸(60)が挿通しやすくなり、ビーズの横糸挿通孔(12)への横糸(60)を通す作業が容易となる。
【００１７】
（請求項５）
請求項５記載の発明は、請求項１から請求項４のいずれかに記載のビーズ(10)を限定したものである。
すなわち、前記横糸挿通孔(12)の長手方向は、前記幹糸挿通孔(11)の直角方向に対し傾斜するように形成し、横糸当接面(13)を横糸挿通孔(12)に直交するように形成したことを特徴とする。
【００１８】
（作用）
横糸挿通孔(12)から糸が延びて釣り針や餌などが付けても、ビーズ(10)の周面よりも張り出した突部(15)によって釣り糸が擦れたり、擦れによって糸が磨耗して切れやすくなったりすることを低減させる。
また、横糸挿通孔(12)に角度が付けられていると、横糸当接面(13)に直交するので、横糸(60)を真っ直ぐに挿通することができる。このため、ビーズの横糸挿通孔(12)への横糸(60)を通す作業が容易となる。
【００１９】
（削除）
【００２０】
（削除）
【００２１】
（請求項６）
以下のような、幹糸(50)に横糸(60)を接続するためのビーズ(10)を提供することもできる。
すなわち、その縦方向に貫通して幹糸(50)が挿通される幹糸挿通孔(11)と、横方向に貫通して横糸(60)が挿通される横糸挿通孔(12)と、ビーズ(10)の周面からそれぞれ張り出した突部(15,25)と、を備え、その両方の突部(15,25)を両側から挟むように指でつまんだ場合に指腹部が食い込む凹部である段部(16)と、を形成し、前記横糸(60)が挿出入される横糸挿通孔(12)の両方の開口部(12a,12d)をそれぞれ突部(15,25)に設ける。
更に、前記横糸挿通孔(12)の両側の周面に平面領域を有する指当て部(14)を備える。
【００２２】
（作用）
請求項６に係るビーズは、上下の区別をなくした形態のビーズである。ビーズ(10)の周面から突部(15,25)が張り出しており、この突部(15,25)には、横糸(60)が挿出入される開口部(12a,12d)が設けられている。したがって、ビーズ(10)の上下に関係なく横糸(60)を挿通することができる。このため、釣り人はビーズ(10)をどのようにつまんでも、横糸(60)を挿通する向きが限定されないので便利である。
【００２３】
（請求項７）
請求項７に係る発明は、縦方向に長く延びた幹糸(50)と、その幹糸(50)の中途部に複数設けられたビーズ(10)と、それら各ビーズ(10)から横方向に延出した横糸(60)とを備えた釣り用仕掛け(100)に係る。
前記各ビーズ(10)は、請求項１から請求項６のいずれかに記載のビーズを備えた釣り用仕掛けを提供する。
【００２４】
（作用）
釣り用仕掛け(100)は、幹糸(50)に複数のビーズ(10)が設けられており、このビーズ(10)から横糸(60)が接続されている。ビーズ(10)は、指当て部(14)や突部(15)によってビーズ(10)をつまみやすくなっている。また、横糸当接面(13)やロート状の開口部(12a)によって横糸(60)を挿通しやすくなっている。
【発明の効果】
【００２５】
請求項１から請求項６に記載の発明によれば、ビーズの孔に糸を通す作業が容易なビーズを提供することができた。
更に、請求項７に記載の発明によれば、ビーズに糸を通す作業が容易であるとともに、釣り糸が擦れたり、擦れによって糸が磨耗して切れやすくなったりすることを低減させるビーズを備えた釣り用仕掛けを提供することができた。
【発明を実施するための最良の形態】
【００２６】
本発明の実施の形態について、図面を参照させながら説明する。ここで使用する図面は、図１から図５である。図１は、釣り用仕掛け及びビーズを示した正面図であり、図２は、ビーズの構成を示した正面断面図であり、図３は、釣り人がビーズをつまんでハリスを孔に差し込む状態を示した図であり、図４は、開口部の形状を変更したビーズの形態を示した正面断面図であり、図５は、突部を二つ設けたビーズの形態を示した図である。
【００２７】
図１に示すように、釣り用仕掛け１００は、縦（上下）方向に長く延びた幹糸５０と、その幹糸５０の糸の中途部に複数設けられたビーズ１０と、それら各ビーズ１０から横（左右）方向に延出したハリス６０（横糸）とを備えている。
【００２８】
幹糸５０には、その下端部に水深や幹糸５０の長さに適する重り５５が連結されており、その重り５５の直上に撚り戻し５６が設けられている。また、ビーズ１０を回転自在に、また垂直方向への移動抑制のために、ビーズ１０を中心とした上下に幹糸結びこぶ５１、５１がそれぞれ設けられている。各幹糸結びこぶ５１は、糸を結んで形成されており、ビーズ１０のストッパーとして機能している。ハリス６０は、反ビーズ１０側のハリス先端部６０ａに釣り針７０が設けられている。また、図示は省略するが、釣り針７０のフックに餌を取り付けたり、釣り針７０の代わりに擬似餌を取り付けたりすることで釣りを行うことになる。
【００２９】
（ビーズ）
図２に示すように、ビーズ１０は、概ね俵形をなしており、ビーズ１０の上面１０ａから下面１０ｂに向かって縦方向に貫通した幹糸挿通孔１１と、ビーズ１０の横方向に貫通したハリス挿通孔１２（横糸挿通孔）と、ハリス６０が突き当て可能な平面領域を有するハリス当接面１３（横糸当接面）と、ビーズ１０の側周面をつまんだ際に、ビーズ１０を把持可能な平面領域を有する指当て部１４とを備えている。
【００３０】
ビーズ１０の材質は、ポリカーボネート、ナイロン等の熱可塑性素材によって形成されている。浅い水深用として、透明青系の熱可塑性素材で成型されている。また、深い水深用として、透明ピンク系の熱可塑性素材で成型されている。これらを用いて、釣り用仕掛け１００に取り付けると異なる水深の仕掛けを一目に判別することができる。つまり、浅い水深用で使用するのは透明青系のビーズが付いた釣り用仕掛けを使用すればよい。また、従来のようにペイントによる着色ではないため、着色によってハリス６０を挿通する際に滑りにくくなるということはない。
【００３１】
幹糸挿通孔１１は、幹糸５０が挿入される孔であり、ビーズ１０の上面１０ａに面し、ロート状に傾斜した幹糸入口開口部１１ａと、その幹糸入口開口部１１ａとは反対側を、幹糸５０が通過する幹糸挿通孔１１の直径と略同じ大きさに形成された幹糸出口開口部１１ｂが設けられ、下面１０ｂに向かって縦長に貫通している。
【００３２】
ハリス挿通孔１２は、垂直方向に延びた幹糸挿通孔１１から水平方向に概ね２０度前後右上がり（図２）に傾斜している。そして、ハリス挿通孔１２の一側は、ハリス当接面１３に面してハリス６０が挿入され、ロート状に傾斜したハリス入口開口部１２ａが設けられる。また、このハリス入口開口部１２ａとは反対側を、ハリス入口開口部１２ａから挿入されたハリス６０が通過して挿出されるハリス出口開口部１２ｂが設けられている。このハリス出口開口部１２ｂは、ハリス挿通孔１２の直径と略同じ大きさに形成されている。
ハリス挿通孔１２が概ね２０度程度の角度が付けられていると、ハリス当接面１３に直交するので、ハリス６０を真っ直ぐに挿通することができる。このため、ビーズのハリス挿通孔１２へのハリス６０を通す作業が容易となる。
なお、ハリス挿通孔１２の角度は、５度から４５度にすると、ハリス６０が仕掛けに絡みにくくなる。
【００３３】
ハリス当接面１３は、ハリス６０を挿入するための入口部分であって、ハリス入口開口部１２ａ周辺に配置されている。すなわち、図２に示すように、ハリス当接面１３を側面視した場合では、ビーズ１０の上側から下側に広がるように傾斜されており、その中心部付近にハリス挿通孔１２が配置されている。
また、ハリス当接面１３の下端部は、ビーズ１０の周面よりも張り出した凸状の突部１５を備えている。この突部１５があると、ハリス挿通孔１２からハリス６０が延びて釣り針７０や餌などが付けられていても、その重さに耐えることができ、釣り糸が擦れたり、擦れによって糸が磨耗して切れやすくなったりすることを低減させる。
【００３４】
指当て部１４は、図３に示すように、平面状の領域を有し、二本の指（図３では人差し指と親指で掴んだ例を示す）でビーズ１０をつまんだ際に、人差し指が当接される上側指当て部１４ａ（平滑面）と、親指が当接される下側指当て部１４ｂ（平滑面）と、その上側指当て部１４ａ及び下側指当て部１４ｂから連続した凹みとしての段部１６とからなる。段部１６は、上側指当て部１４ａから連続する上側段部１６ａと下側指当て部１４ｂから連続する下側段部１６ｂからなる。この段部１６は、指腹部を食い込ませるための凹みである。
【００３５】
また、ハリス当接面１３の幅と指当て部１４の幅とが略等しく形成されている。ビーズが正俵形とすれば、全体のプロポーションがほぼ同一に形成されていることになる。すると、水中でのビーズの動作は、球体のビーズと同様に近いものになる。これは、水中での動作は予測のしやすい球体であることが望ましいが、掴みにくく糸を通しにくい等の問題点がある。しかし、つまみにくいという問題点を指当て部１４を備えることで解消し、なおかつ水中での球体の動作に近づけた形態としている。
【００３６】
また、ハリス当接面１３とビーズ１０の幅とが等しく形成されているため、ビーズ１０の周面の延長として突部１５をつまむことができる。この時つまんだ指の先端が、ハリス当接面１３の両側から突出してハリス当接面１３の両側を塞ぐことになる。このため、ハリス６０の先端６０ａがハリス当接面１３から外れないため、ハリス６０をハリス挿通孔１２に通しやすい。
【００３７】
指当て部１４が平面状に形成されているので、ビーズ１０をつまみやすくなる。また、ビーズ１０をつまんだ時に、指を上側段部１６ａ及び下側段部１６ｂに引っ掛けることができる。このため、ビーズ１０を滑らせることなく容易につまむことができ、ハリス６０の挿入作業が簡単に行える。
【００３８】
（第一実施形態）
釣り人は、ビーズ１０を幹糸５０に接続するために、まず、幹糸５０の所定箇所に幹糸挿通孔１１の孔の直径よりもやや大きめの幹糸結びこぶ５１を作る。
そして、ビーズ１０の幹糸挿通孔１１を、幹糸５０の先端から通過させて幹糸結びこぶ５１の直上で止まるようにする。
もう一つの幹糸結びこぶ５１をビーズ１０の上部で作る。この状態にすると、ビーズ１０は遊動自在でありながらも、ビーズ１０が幹糸５０の垂直方向への移動が抑止されてストッパーとして機能する。
【００３９】
次に、ビーズ１０にハリス６０を取り付ける。
釣り人は、ビーズ１０の上側指当て部１４ａに人差し指を、下側指当て部１４ｂに親指をあてる。そして、人差し指の指腹を上側段部１６ａに、親指の指腹を下側段部１６ｂにそれぞれ引っ掛けてビーズ全体をつまむ。
【００４０】
この状態でハリス６０のハリス先端６０ａを、ビーズ１０のハリス当接面１３に突き当てながら、ハリス挿通孔１２を探す。ハリス挿通孔１２は、約２０度の角度で傾斜されているため、突部１５の張り出しに応じてハリス当接面１３がハリス挿通孔１２と直交していると、ハリス挿通孔１２を探しやすい。
なお、突き当てながらハリス挿通孔１２を探すのは、ハリス当接面１３が平面状に形成されているので、湾曲形状のビーズ面に比べて突き当て作業が行いやすいからである。また、ハリス入口開口部１２ａは、ロート状に傾斜されているので、ハリス６０を突き当てた後にそのハリス６０を挿入しやすい。
【００４１】
上手くハリス挿通孔１２を探しあて、ハリス６０をハリス挿通孔１２に挿入することができたら、ハリス出口開口部１２ｂからハリス６０のハリス先端６０ａを引っ張りだす。そして、ハリス挿通孔１２の孔の直径よりもやや大きめのハリス結びこぶ６１を作る。
続けて、ハリス結びこぶ６１とは反対側のハリス６０の先端に釣り針７０を接続する。このように、ハリス６０を所望する数量だけ幹糸５０上で作る。そして、重り５５を幹糸５０の先端部分に連結させて釣り用仕掛け１００を形成させるのである。
【００４２】
すなわち、ハリス６０のハリス先端６０ａをハリス挿通孔１２に差し込む際に、ハリス当接面１３に突き当てながらハリス挿通孔１２内へ導くことができる。ちなみに、この挿入に突き当てられる面が湾曲していると、突き当てが効かずに滑ってしまってハリス挿通孔１２に差し込みにくいことが分かっている。
また、ビーズ１０をつまむ際にも、上側指当て部１４ａと下側指当て部１４ｂが平面状に形成されているため、つまみやすくなる。しかも、指腹部を食い込ませるための段部１６が設けられているので、指が引っ掛けやすく、ハリス６０の挿入作業が行いやすい。また、ハリス挿通孔１２の長手方向に対し、ハリス当接面１３が直交して形成されている。このため、ハリス挿通孔１２へハリス６０を真っ直ぐに差し込むことも容易となる。
【００４３】
（第二実施形態）
図４は、本発明に係る他の形態を示したビーズ１０Ｂについて説明したものである。
ビーズ１０Ｂは、前述した第一実施形態のビーズ１０と基本的な構成は全く同様である。しかしながら、ハリス挿通孔１２におけるハリス入口開口部１２ｃの傾斜角度が前述したハリス入口開口部１２ａと異なる。
【００４４】
すなわち、ハリス入口開口部１２ｃのロート状の傾斜を緩くして開口部全体を大きく広げている。このハリス入口開口部１２ｃの傾斜角度は、ハリス当接面１３の上辺１３ａと下辺１３ｂとを結んだ大きさにほぼ等しく形成されている。このように、ハリス入口開口部１２ｃの間口を大きく広げることで、ハリス挿通孔１２にハリス６０を挿入させる際、ハリス挿通孔１２内にハリス６０を誘導させることが容易になる。これにより、仕掛けの取り付け作業時間が短縮され、作業効率が向上する。
【００４５】
（第三実施形態）
図５は、本発明に係る他の形態を示したビーズ１０Ｃについて説明したものである。
ビーズ１０Ｃは、前述した第一実施形態のビーズ１０と基本的な構成は同様であり、ビーズ１０Ｃは概ね俵形をなし、その縦方向に垂直に貫通して幹糸５０が挿通される幹糸挿通孔１１と、横方向を貫通してハリス６０が挿通されるハリス挿通孔１２と、側周面に平面領域を有する指当て部１４とを備え、この指当て部１４は、幹糸挿通孔１１の長手方向と平行な周囲面に向かい合う平らな上側指当て部１４ａ及び下側指当て部１４ｂと、その上側指当て部１４ａ及び下側指当て部１４ｂの一部には、つまんだ場合に指腹部が食い込む凹部である段部１６と、ビーズ１０の下端に向かってビーズ１０の周面よりも張り出した突部１５を備えている点は第一実施形態と全く同じである。
しかしながら、以下の点で前述した第一実施形態と異なる。
【００４６】
すなわち、ハリス当接面１３に対向配置された第二ハリス当接面２３は、ハリス当接面１３と同様に面取り加工して平面状に形成されており、下端部に第二突部２５を備える。そして、第二ハリス当接面２３の一部には、ハリス６０が挿出入され、ロート状に傾斜されたハリス出口開口部１２ｄを備え、ビーズ全体が点対象形状をなすようにしている点である。また、ハリス当接面１３及び第二ハリス当接面２３の幅と、指当て部１４（１４ａ、１４ｂ）の幅とは略等しく形成されている。
【００４７】
このように、ビーズ全体が点対象形状となっていることで、ビーズ１０の上下に関係なくハリス６０を挿通することができる。このため、釣り人はビーズ１０をどのようにつまんでも、ハリス６０を挿通する向きが限定されないので便利である。点対象形状に等しく形成されているので、俵形であっても球体と同じように水中で動作する。
【００４８】
また、図示は省略するが、図４で示したビーズ１０Ｂのハリス入口開口部１２ｃを、本実施形態のビーズ１０Ｃの各開口部１２ａ及び１２ｄに採用することもできる。このようにすれば、ハリス６０の挿通がさらに容易になる。
【産業上の利用可能性】
【００４９】
本願発明は、釣り用具の製造業、釣り用具の販売業、釣りのインストラクター業などにおいて用いることができる。
【図面の簡単な説明】
【００５０】
【図１】釣り用仕掛け及びビーズを示した正面図である。
【図２】ビーズの構成を示した正面断面図である。
【図３】釣り人がビーズをつまんでハリスを孔に差し込む状態を示した図である。
【図４】開口部の形状を変更したビーズの形態を示した正面断面図である。
【図５】突部を二つ設けたビーズの形態を示した図である。
【符号の説明】
【００５１】
１０，１０Ｂ，１０Ｃ； ビーズ
１０ａ；上面                    １０ｂ；下面
１１  ；幹糸挿通孔              １１ａ；幹糸入口開口部
１１ｂ；幹糸出口開口部          １２  ；ハリス挿通孔
１２ａ，１２ｃ；ハリス入口開口部
１２ｂ，１２ｄ；ハリス出口開口部
１３  ；ハリス当接面
１３ａ；上辺                    １３ｂ；下辺
１４  ；指当て部
１４ａ；上側指当て部            １４ｂ；下側指当て部
１５，２５；突部
１６；段部
１６ａ；上側段部                １６ｂ；下側段部
２３  ；第二ハリス当接面
５０  ；幹糸                    ５１  ；幹糸結びこぶ
５５  ；重り                    ５６  ；撚り戻し
６０  ；ハリス                  ６０ａ；ハリス先端
６１  ；ハリス結びこぶ          ７０  ；釣り針
１００；釣り糸用仕掛け
【図１】
0004837391.tif 000002
【図２】
0004837391.tif 000003
【図３】
0004837391.tif 000004
【図４】
0004837391.tif 000005
【図５】
0004837391.tif 000006